(57)【要約】【課題】顔面に付勢力を与える眼鏡フレームのテンプルであって、構造が簡単であり、製造、組立てを容易にして、安価に提供する。【解決手段】蝶番６０を介してヨロイ７０に連結される一端側が、内面２０、外面３０、上面４０及び下面５０を備える。外面３０は、蝶番６０の回転軸に平行な曲面で形成される外面凹部３１、３２、３３を備える。内面２０は、外面凹部３１、３２、３３に対応する部分が、ほぼ一定の厚みとなるように、外面凹部３１、３２、３３に並行する曲面で形成する。【選択図】図３
2008257103.tif 000002
【特許請求の範囲】
【請求項１】
眼鏡フレームのテンプルであって、蝶番を介してヨロイに連結される一端側が、内面、外面、上面及び下面の４面を備え、
前記外面は、前記蝶番の回転軸に平行な曲面で形成される少なくとも一つの外面凹部を備え、
前記内面は、前記外面凹部に対応する部分が、ほぼ一定の厚みとなるように、前記外面凹部の曲面に並行する曲面で形成されていることを特徴とするテンプル。
【請求項２】
前記外面凹部が複数個であることを特徴とする請求項１に記載のテンプル。
【請求項３】
眼鏡フレームのテンプルであって、蝶番を介してヨロイに連結される一端側が、内面、外面、上面及び下面の４面を備え、
前記外面は、前記蝶番の回転軸に平行な曲面で形成される少なくとも一つの外面凹部を備え、
前記内面は、前記蝶番の回転軸に平行な曲面で形成される少なくとも一つの内面凹部を前記外面凹部に隣接して備え、
前記隣接する外面凹部と内面凹部との境界部分が、ほぼ一定の厚みとなるように形成されていることを特徴とするテンプル。
【請求項４】
前記外面凹部が複数個であることを特徴とする請求項３に記載のテンプル。
【発明の詳細な説明】
【技術分野】
【０００１】
本発明は眼鏡フレームのテンプルに関し、特に、顔面に対して付勢力を与えるテンプルに関する。
【背景技術】
【０００２】
眼鏡フレームには様々なタイプのものがあり、例えば、一対の環状のリムと、両リムの内縁部間を連結するブリッジと、各リムの外縁部にバネ蝶番を介して回動自在に連結されるテンプルとを備えた眼鏡フレームが知られている。特許文献１に記載された眼鏡フレームは、テンプルとヨロイとを連結するバネ蝶番を備えており、テンプルを開くときに、所定の位置でテンプルに設けた板バネの先端がヨロイの端部に当接する構造となっている。
【０００３】
そして、テンプルを所定の位置からさらに開くときには、開きに伴って板バネが撓み、テンプルを所定の位置に押し戻そうとする復元力が働く。したがって、この眼鏡フレームを装着したときに、テンプルの開きが所定の位置よりも少し開くように調整しておけば、顔面に対して付勢力を与えることができるので、顔にフィットした状態で使用することができる。
【０００４】
しかしながら、上記のような眼鏡フレームにあっては、バネ蝶番の構造が複雑であるために、製造、組立てに手間がかかり、コストが高くなるという問題点がある。また、初期の性能を長期的に維持するためには、定期的なメンテナンスを必要とする問題点がある。さらに、バネ蝶番は、テンプルの形状が大きくなってしまい、スマートなデザインができないという問題点がある。
【特許文献１】特開２００３−１８５９８１号公報
【発明の開示】
【発明が解決しようとする課題】
【０００５】
本発明は上記の課題を解決したものであり、顔面に対して付勢力を与える眼鏡フレームのテンプルであって、構造が簡単であり、製造、組立てを容易にして生産コストを安価に抑えることができるテンプルを提供することを目的とする。また、メンテナンスを必要とすることなく、初期の性能を長期に維持することができるテンプルを提供することを目的とする。さらに、スマートなデザインとすることができるテンプルを提供することを目的とする。
【課題を解決するための手段】
【０００６】
上記の課題を解決するために、本発明の請求項１に係るテンプルは、眼鏡フレームのテンプルであって、蝶番を介してヨロイに連結される一端側が、内面、外面、上面及び下面の４面を備え、前記外面は、前記蝶番の回転軸に平行な曲面で形成される少なくとも一つの外面凹部を備え、前記内面は、前記外面凹部に対応する部分が、ほぼ一定の厚みとなるように、前記外面凹部の曲面に並行する曲面で形成されている手段を採用している。また、本発明の請求項２に係るテンプルは、請求項１に記載のテンプルであって、前記外面凹部が複数個である手段を採用している。
【０００７】
また、本発明の請求項３に係るテンプルは、眼鏡フレームのテンプルであって、蝶番を介してヨロイに連結される一端側が、内面、外面、上面及び下面の４面を備え、前記外面は、前記蝶番の回転軸に平行な曲面で形成される少なくとも一つの外面凹部を備え、前記内面は、前記蝶番の回転軸に平行な曲面で形成される少なくとも一つの内面凹部を前記外面凹部に隣接して備え、前記隣接する外面凹部と内面凹部との境界部分が、ほぼ一定の厚みとなるように形成されている手段を採用している。また、本発明の請求項４に係るテンプルは、請求項３に記載のテンプルであって、前記外面凹部が複数個である手段を採用している。
【発明の効果】
【０００８】
本発明の眼鏡フレームは上記の手段を採用することにより、構造が極めて簡単であり、製造、組立てを容易にすることができるので、安価なコストに抑えることができる。また、定期的なメンテナンスを必要とすることなく、初期の性能を長期に維持することができる。さらに、そのユニークな形状から、意匠性の高いスマートなデザインとすることができる。
【発明を実施するための最良の形態】
【０００９】
図１〜図４は、本発明のテンプルであって第１の発明を示している。図１は、眼鏡フレームのテンプル１１を示し、蝶番６０を介してヨロイ７０に連結される一端側には、内面２０、外面３０、上面４０及び下面５０の４面を備えている。その外面３０は、滑らかな平面又は曲面上に、蝶番６０の回転軸に平行な曲面で形成される一つの外面凹部３１を備えている。内面２０は、その外面凹部３１に対応する部分が、ほぼ一定の厚みｔとなるように、外面凹部３１の曲面に並行する曲面で形成されている。
【００１０】
このテンプル１１は、厚みｔで形成される部分をバネとして利用する。バネ部分は、弾性の高い金属又は樹脂とすることが好ましく、テンプルの一部として一体に形成することが好ましい。また、外面凹部３１等の曲面は、鋳型又は切削等の方法で形成することができる。
【００１１】
材質及び厚みｔを適宜選定することにより、顔面に対して最適な付勢力を与えることができる。すなわち、眼鏡フレームに取り付けたテンプル１１を回動面に沿って開くと、所定の位置で蝶番６０が全開となり、さらに開こうとするとバネ部分の弾性変形によってテンプル１１が同じ回動面で開くので、顔面に対して違和感を生ずることなく、付勢力を与えることができる。
【００１２】
図２は、眼鏡フレームのテンプル１２を示し、蝶番６０を介してヨロイ７０に連結される一端側には、内面２０、外面３０、上面４０及び下面５０の４面を備えている。その外面３０は、滑らかな平面又は曲面上に、蝶番６０の回転軸に平行な曲面で形成される２個の外面凹部３１、３２を備えている。内面２０は、その外面凹部３１、３２に対応する部分が、ほぼ一定の厚みｔとなるように、外面凹部３１、３２の曲面に並行する曲面で形成されている。
【００１３】
このテンプル１２は、厚みｔで形成される部分をバネとして利用する。バネ部分は、弾性の高い金属又は樹脂とすることが好ましく、テンプルの一部として一体に形成することが好ましい。また、外面凹部３１、３２等の曲面は、鋳型又は切削等の方法で形成することができる。
【００１４】
材質及び厚みｔを適宜選定することにより、顔面に対して最適な付勢力を与えることができる。すなわち、眼鏡フレームに取り付けたテンプル１２を回動面に沿って開くと、所定の位置で蝶番６０が全開となり、さらに開こうとするとバネ部分の弾性変形によってテンプル１２が同じ回動面で開くので、顔面に対して違和感を生ずることなく、付勢力を与えることができる。
【００１５】
図３は、眼鏡フレームのテンプル１３を示し、蝶番６０を介してヨロイ７０に連結される一端側には、内面２０、外面３０、上面４０及び下面５０の４面を備えている。その外面３０は、滑らかな平面又は曲面上に、蝶番６０の回転軸に平行な曲面で形成される３個の外面凹部３１、３２、３３を備えている。内面２０は、その外面凹部３１、３２、３３に対応する部分が、ほぼ一定の厚みｔとなるように、外面凹部３１、３２、３３の曲面に並行する曲面で形成されている。
なお、図４には、テンプル１３の概略平面図（中央）、概略外側側面図（左側）、及び概略内側側面図（右側）を示している。
【００１６】
このテンプル１３は、厚みｔで形成される部分をバネとして利用する。バネ部分は、弾性の高い金属又は樹脂とすることが好ましく、テンプルの一部として一体に形成することが好ましい。また、外面凹部３１、３２、３３等の曲面は、鋳型又は切削等の方法で形成することができる。
【００１７】
材質及び厚みｔを適宜選定することにより、顔面に対して最適な付勢力を与えることができる。すなわち、眼鏡フレームに取り付けたテンプル１３を回動面に沿って開くと、所定の位置で蝶番６０が全開となり、さらに開こうとするとバネ部分の弾性変形によってテンプル１３が同じ回動面で開くので、顔面に対して違和感を生ずることなく、付勢力を与えることができる。
【００１８】
以上のように、第１の発明であるテンプル１１、１２、１３は、構造が簡単であり、安価なコストで製造できると共にメンテナンスを必要としない。外側凹部の数は、その使用感からも、意匠性からも、複数とすることが好ましい。これによってユニークな形状となり、スマートなデザインとすることができる。
【００１９】
図５〜図８は、本発明のテンプルであって第２の発明を示している。図５は、眼鏡フレームのテンプル１５を示し、蝶番６０を介してヨロイ７０に連結される一端側には、内面２０、外面３０、上面４０及び下面５０の４面を備えている。その外面３０は、滑らかな平面又は曲面上に、蝶番６０の回転軸に平行な曲面で形成される一つの外面凹部３１を備えている。その内面２０は、滑らかな平面又は曲面上に、蝶番６０の回転軸に平行な曲面で形成される一つの内面凹部２１を備えている。そして、互いに隣接する外面凹部３１と内面凹部２１との境界部分が、ほぼ一定の厚みｔとなるように形成されている。
【００２０】
このテンプル１５は、厚みｔで形成される部分をバネとして利用する。バネ部分は、弾性の高い金属又は樹脂とすることが好ましく、テンプルの一部として一体に形成することが好ましい。また、外面凹部３１等の曲面は、鋳型又は切削等の方法で形成することができる。
【００２１】
材質及び厚みｔを適宜選定することにより、顔面に対して最適な付勢力を与えることができる。すなわち、眼鏡フレームに取り付けたテンプル１５を回動面に沿って開くと、所定の位置で蝶番６０が全開となり、さらに開こうとするとバネ部分の弾性変形によってテンプル１５が同じ回動面で開くので、顔面に対して違和感を生ずることなく、付勢力を与えることができる。
【００２２】
図６は、眼鏡フレームのテンプル１６を示し、蝶番６０を介してヨロイ７０に連結される一端側には、内面２０、外面３０、上面４０及び下面５０の４面を備えている。その外面３０には、滑らかな平面又は曲面上に、蝶番６０の回転軸に平行な曲面で形成される２個の外面凹部３１、３２を備えている。その内面２０は、滑らかな平面又は曲面上に、蝶番６０の回転軸に平行な曲面で形成される一つの内面凹部２１を備えている。そして、互いに隣接する外面凹部３１、３２と内面凹部２１との境界部分が、ほぼ一定の厚みｔとなるように形成されている。
【００２３】
このテンプル１６は、厚みｔで形成される部分をバネとして利用する。バネ部分は、弾性の高い金属又は樹脂とすることが好ましく、テンプルの一部として一体に形成することが好ましい。また、外面凹部３１、３２等の曲面は、鋳型又は切削等の方法で形成することができる。
【００２４】
材質及び厚みｔを適宜選定することにより、顔面に対して最適な付勢力を与えることができる。すなわち、眼鏡フレームに取り付けたテンプル１６を回動面に沿って開くと、所定の位置で蝶番６０が全開となり、さらに開こうとするとバネ部分の弾性変形によってテンプル１６が同じ回動面で開くので、顔面に対して違和感を生ずることなく、付勢力を与えることができる。
【００２５】
図７は、眼鏡フレームのテンプル１７を示し、蝶番６０を介してヨロイ７０に連結される一端側には、内面２０、外面３０、上面４０及び下面５０の４面を備えている。その外面３０には、滑らかな平面又は曲面上に、蝶番６０の回転軸に平行な曲面で形成される３個の外面凹部３１、３２、３３を備えている。その内面２０は、滑らかな平面又は曲面上に、蝶番６０の回転軸に平行な曲面で形成される２個の内面凹部２１、２２を備えている。そして、互いに隣接する外面凹部３１、３２、３３と内面凹部２１、２２との境界部分が、ほぼ一定の厚みｔとなるように形成されている。
なお、図８には、テンプル１７の概略平面図（中央）、概略外側側面図（左側）、及び概略内側側面図（右側）を示している。
【００２６】
このテンプル１７は、厚みｔで形成される部分をバネとして利用する。バネ部分は、弾性の高い金属又は樹脂とすることが好ましく、テンプルの一部として一体に形成することが好ましい。また、外面凹部３１、３２、３３等の曲面は、鋳型又は切削等の方法で形成することができる。
【００２７】
材質及び厚みｔを適宜選定することにより、顔面に対して最適な付勢力を与えることができる。すなわち、眼鏡フレームに取り付けたテンプル１７を回動面に沿って開くと、所定の位置で蝶番６０が全開となり、さらに開こうとするとバネ部分の弾性変形によってテンプル１７が同じ回動面で開くので、顔面に対して違和感を生ずることなく、付勢力を与えることができる。
【００２８】
以上のように、第２の発明であるテンプル１５、１６、１７は、構造が簡単であり、安価なコストで製造できると共にメンテナンスを必要としない。外側凹部の数は、その使用感からも、意匠性からも、複数とすることが好ましい。これによってユニークな形状となり、スマートなデザインとすることができる。
【図面の簡単な説明】
【００２９】
【図１】第１の発明となるテンプルの一例を示す概略斜視図である。
【図２】第１の発明となるテンプルの他の例を示す概略斜視図である。
【図３】第１の発明となるテンプルのまた別の例を示す概略斜視図である。
【図４】図３に示すテンプルの概略平面図及び概略両側面図である。
【図５】第２の発明となるテンプルの一例を示す概略斜視図である。
【図６】第２の発明となるテンプルの他の例を示す概略斜視図である。
【図７】第２の発明となるテンプルのまた別の例を示す概略斜視図である。
【図８】図７に示すテンプルの概略平面図及び概略両側面図である。
【符号の説明】
【００３０】
１１、１２、１３、１５、１６、１７      テンプル
２０    内面
２１、２２    内面凹部
３０    外面
３１、３２、３３    外面凹部
４０    上面
５０    下面
６０    蝶番
７０    ヨロイ
【図１】
2008257103.tif 000003
【図２】
2008257103.tif 000004
【図３】
2008257103.tif 000005
【図４】
2008257103.tif 000006
【図５】
2008257103.tif 000007
【図６】
2008257103.tif 000008
【図７】
2008257103.tif 000009
【図８】
2008257103.tif 000010